(57)【要約】【課題】高価なシールドボックスを用いずに安定した検査工程を実行できる無線ＬＡＮモジュールの検査方法を提供すること。【解決手段】開口９ａを有する筒状のシールドカバー９と、このシールドカバー９の内部に収納された放射導体１０とで受信アンテナ８を構成し、この受信アンテナ８を同軸ケーブル７を介して測定器６に接続する。そして、小型メモリカード１をパソコン５に装着すると共に、パソコン５に電源を供給して小型メモリカード１内のパッチアンテナ２を実際に動作させた状態で、パソコン５から突出する小型メモリカード１の真上に受信アンテナ８のシールドカバー９を配置し、内部のパッチアンテナ２から放射される電波を放射導体１０で受信すると共に、その受信信号を同軸ケーブル７を介して測定器６で検出することにより、小型メモリカード１の性能等の検査を行うようにした。【選択図】      図１
2004186973.tif 000002
【特許請求の範囲】
【請求項１】
一端を開口したシールドカバーの内部に放射導体を収納すると共に、この放射導体を同軸ケーブルを介して測定器に接続し、アンテナを内蔵する無線ＬＡＮモジュールを電子機器本体に装着した状態で前記シールドカバーの開口を前記アンテナに対向・設置することにより、前記放射導体と前記アンテナとの間で信号の授受を行うことを特徴とする無線ＬＡＮモジュールの検査方法。
【請求項２】
請求項１の記載において、前記同軸ケーブルの内芯導体を露出させて前記放射導体となすと共に、該同軸ケーブルの外側導体を前記シールドカバーに半田付けしたことを特徴とする無線ＬＡＮモジュールの検査方法。
【発明の詳細な説明】
【０００１】
【発明の属する技術分野】
本発明は、アンテナを内蔵した無線ＬＡＮモジュールの性能等を試験する検査方法に係り、特に、パソコン等の電子機器本体に装着されて使用される小型メモリカード等の無線ＬＡＮモジュールの検査方法に関する。
【０００２】
【従来の技術】
近年、有線ケーブルを使わずに所定周波数帯域（例えば２．４ＧＨｚ帯）の電波の送受信で情報交換を行える無線ＬＡＮが普及しつつあり、それに伴い、小型メモリカードに通信データの送受信を行うためのアンテナを内蔵し、この小型メモリカードを電子機器本体であるパソコンに装脱可能とした無線ＬＡＮモジュールが実用化されている。
【０００３】
このような無線ＬＡＮモジュールはその製造工程の最終段階において、パソコンに装着した実働状態において性能等の検査を行う必要があり、従来より、かかる被試験製品の検査工程をシールドボックス内で行うという技術が知られている（例えば、特許文献１参照）。
【０００４】
図３は従来例に係る無線ＬＡＮモジュールの検査方法を説明するものであり、同図に示すように、シールドボックス１００内には受信アンテナ１０１が設置され、この受信アンテナ１０１は同軸ケーブル等を介して外部の測定器１０２に接続されている。被試験製品である無線ＬＡＮモジュールは図示せぬアンテナを内蔵する小型メモリカード（ＳＤカードやＰＣカード）１０３であり、この小型メモリカード１０３は電子機器本体であるパソコン１０４に装着した状態でシールドボックス１００内の所定位置に配置される。そして、パソコン１０４に電源を供給して小型メモリカード１０３に内蔵されたアンテナを動作させた状態で、該アンテナから放射される電波をシールドボックス１００内に設置した受信アンテナ１０１で受信し、その受信信号を同軸ケーブル等を介して外部の測定器１０２で検出することにより、小型メモリカード１０３の実働状態における性能等の検査が行われる。
【０００５】
【特許文献１】
特開平９−１８００８５号公報（第２頁、図１）
【０００６】
【発明が解決しようとする課題】
しかしながら、前述した従来技術にあっては、高価なシールドボックス１００を必要とするという難点があるばかりでなく、シールドボックス１００内に配置した被試験製品（小型メモリカード１０３）の性能等の検査が無線状態で行われるため、被試験製品の微少な位置ズレによって反射波の条件が変化してしまい、安定した検査結果が得られないという問題があった。また、被試験製品である小型メモリカード１０３に内蔵されたアンテナのゲインが高くないため、例えばアンテナの半田付け不良といったゲインの低い検出が困難であるという問題もあった。
【０００７】
本発明は、このような従来技術の実情に鑑みてなされたもので、その目的は、高価なシールドボックスを用いずに安定した検査工程を実行できる無線ＬＡＮモジュールの検査方法を提供することにある。
【０００８】
【課題を解決するための手段】
上述した目的を達成するために、本発明による無線ＬＡＮモジュールの検査方法では、一端を開口したシールドカバーの内部に放射導体を収納すると共に、この放射導体を同軸ケーブルを介して測定器に接続し、アンテナを内蔵する無線ＬＡＮモジュールを電子機器本体に装着した状態で前記シールドカバーの開口を前記アンテナに対向・設置することにより、前記放射導体と前記アンテナとの間で信号の授受を行うようにした。
【０００９】
このような無線ＬＡＮモジュールの検査方法を採用すると、無線ＬＡＮモジュールを電子機器本体に装着した実働状態でシールドカバーの開口を内部のアンテナに対向・設置することにより、高価なシールドボックスを省略してコストの低減化を図ることができると共に、周囲の環境に影響を受けずに安定した検査工程を実行することができる。
【００１０】
上記の構成において、同軸ケーブルの内芯導体を露出させて放射導体となすと共に、該同軸ケーブルの外側導体をシールドカバーに半田付けすることが好ましい。
【００１１】
【発明の実施の形態】
発明の実施の形態について図面を参照して説明すると、図１は本発明の実施形態例に係る無線ＬＡＮモジュールの検査方法を示す説明図、図２は該検査方法に使用される受信アンテナの内部構造を示す説明図である。
【００１２】
これらの図に示すように、被試験製品である小型メモリカード１は、パッチアンテナ２や図示せぬ各種回路部品を搭載するプリント基板３と、このプリント基板３を覆う合成樹脂製のケース４とを備えており、この小型メモリカード１はパソコン５に装着されて無線ＬＡＮモジュールとして使用されるものである。測定器６には同軸ケーブル７を介して受信アンテナ８が接続されており、この受信アンテナ８は、一端側に開口９ａを有する筒状のシールドカバー９と、このシールドカバー９の内部に収納された放射導体１０とを備えている。この放射導体１０は同軸ケーブル７の内芯導体７ａを露出させたもので、その先端を除く部分は同軸ケーブル７の絶縁チューブ７ｂによって被覆されており、また、シールドカバー９の後端は同軸ケーブル７の外側導体７ｃに半田付けにより接地されている。
【００１３】
次に、上記した受信アンテナ８を用いて小型メモリカード１の性能等を試験する検査方法について説明すると、まず、被試験製品である小型メモリカード１を電子機器本体であるパソコン５に装着すると共に、パソコン５に電源を供給してパッチアンテナ２を実際に動作させる。その際、小型メモリカード１のケース４の一部はパソコン５から外方へ突出しており、この突出部分の内部にパッチアンテナ２が収納されている。この状態で小型メモリカード１の突出部分の真上に受信アンテナ８のシールドカバー９を配置し、パッチアンテナ２から放射される電波をシールドカバー９内の放射導体１０（内芯導体７ａ）で受信すると共に、その受信信号を同軸ケーブル７を介して測定器６で検出することにより、小型メモリカード１の実働状態における性能等の検査が行われる。
【００１４】
上記実施形態例に係る小型メモリカード（無線ＬＡＮモジュール）１の検査方法によれば、受信アンテナ８のシールドカバー９の開口を小型メモリカード１内のパッチアンテナ２に対向・設置することにより、小型メモリカード１をパソコン５に装着した実働状態での検査工程を実行することができるため、高価なシールドボックスを省略してコストの低減化を図ることができる。また、シールドカバー９の内部に放射導体１０を収納して構成される受信アンテナ８は、特定の方向の電波を選択的に受信する指向性アンテナであるため、周囲の環境に影響を受けずに安定した検査工程を実行することができると共に、例えばパッチアンテナ２の半田付け不良といったゲインの低い検出をも実行することができる。
【００１５】
【発明の効果】
本発明は、以上説明したような形態で実施され、以下に記載されるような効果を奏する。
【００１６】
一端を開口したシールドカバーの内部に放射導体を収納すると共に、この放射導体を同軸ケーブルを介して測定器に接続し、アンテナを内蔵する無線ＬＡＮモジュールを電子機器本体に装着した状態でシールドカバーの開口をアンテナに対向・設置することにより、放射導体とアンテナとの間で信号の授受を行うようにした無線ＬＡＮモジュールの検査方法であるため、高価なシールドボックスを省略してコストの低減化を図ることができると共に、周囲の環境に影響を受けずに安定した検査工程を実行することができる。
【図面の簡単な説明】
【図１】本発明の実施形態例に係る無線ＬＡＮモジュールの検査方法を示す説明図である。
【図２】該検査方法に使用される受信アンテナの内部構造を示す説明図である。
【図３】従来例に係る無線ＬＡＮモジュールの検査方法を示す説明図である。
【符号の説明】
１  小型メモリカード（無線ＬＡＮモジュール）
２  パッチアンテナ
３  プリント基板
４  ケース
５  パソコン（電子機器本体）
６  測定器
７  同軸ケーブル
７ａ  内芯導体
７ｂ  絶縁チューブ
７ｃ  外側導体
８  受信アンテナ
９  シールドカバー
９ａ  開口
１０  放射導体
【図１】
2004186973.tif 000003
【図２】
2004186973.tif 000004
【図３】
2004186973.tif 000005